(57)【要約】【課題】  従来よりあるプラスチック製ペット用トイレに代替する新規な使い捨てペットトイレ等の使い捨てペット用具を提供することにある。【解決手段】  約１カ月分のペット用保水シート３０を収納した使い捨てペット用具１０であって、用具本体２０は可燃性の材質からなり、用具本体２０の上面２３には用具本体２０からその全部又は一部を切り離す切取線２２を有してペット用保水シート３０を表出させることの可能な蓋部２１と、本体２０の一側面２６にはペット用保水シート３０の出し入れが可能な引出部２５と、を備えたことを特徴とする。【選択図】  図１
0003139183.tif 000002
【実用新案登録請求の範囲】
【請求項１】
約１カ月分のペット用保水シートを収納した使い捨てペット用具であって、
用具本体は可燃性の材質からなり、
用具本体の上面には用具本体からその全部又は一部を切り離す切取線を有してペット用保水シートを表出させることの可能な蓋部と、
本体の一側面にはペット用保水シートの出し入れが可能な引出部と、
を備えたことを特徴とする使い捨てペット用具。
【請求項２】
用具本体は焼却処分しても有害物質を発生させない材料からなることを特徴とする請求項１記載の使い捨てペット用具。
【請求項３】
ペット用保水シートの表面部材が光触媒作用を有することを特徴とする請求項１又は２記載の使い捨てペット用具。
【請求項４】
本体からその一部を切り離した蓋部を飛散防止立てとして使用することを特徴とする請求項１から３のいずれかに記載の使い捨てペット用具。
【請求項５】
本体からその全部を切り離した蓋部よりスコップ部材を切り抜き可能としたことを特徴とする請求項１から３のいずれかに記載の使い捨てペット用具。
【請求項６】
用具本体に取り付けられた手持ち用の取手部材を引出部に取付自在としたことを特徴とする請求項１から５のいずれかに記載の使い捨てペット用具。
【請求項７】
用具本体に取り付けられた手持ち用の取手部材がペット用玩具としても利用できる物であることを特徴とする請求項１から６のいずれかに記載の使い捨てペット用具。
【請求項８】
ペット用トイレとして利用されることを特徴とする請求項１から７のいずれかに記載の使い捨てペット用具。
【請求項９】
ペット用の食器をセットしてペット用食事場所として利用されることを特徴とする請求項１から７のいずれかに記載の使い捨てペット用具。
【請求項１０】
ペット用檻（ゲージ）の底部に組合せて利用されることを特徴とする請求項１から７のいずれかに記載の使い捨てペット用具。
【考案の詳細な説明】
【技術分野】
【０００１】
本考案は、ペット用のトイレやペット用の食事場所などに利用される使い捨てペット用具に関するものである。
【背景技術】
【０００２】
従来よりあるペット用トイレはプラスチック製のものであり、以下のような課題を有していた。
（１）ペットの尿や糞のにおいが染み付いてしまう。
（２）使用しなくなった場合に、置き場所に困る。
（３）非デザイン的である。
【０００３】
これに対して、特許文献１には、使い捨てのペット用トイレが提案されている。
特許文献１の使い捨てペット用トイレは、上部に開封用フタ（２）、側面に手持ち取っ手（３）を有した容器本体（１）の中に、ゼリーシート（４）、スノコ（５）、砂（６）、シャベル（７）を設けたものであって、ペットのトイレを手軽で使いやすく、かつ衛生的なものに出来ることを目的としている。
【０００４】
【特許文献１】特開平８−８９１２３号公報
【考案の開示】
【考案が解決しようとする課題】
【０００５】
本考案は、従来よりあるプラスチック製ペット用トイレの課題を解決すべく特許文献１と同様に使い捨てのペット用具を提供するものであるが、特許文献１のペット用トイレとは全く異なる新規な使い捨てペット用具を提供することを目的とするものである。
【課題を解決するための手段】
【０００６】
上記目的を達成するために、第１の考案は、約１カ月分のペット用保水シートを収納した使い捨てペット用具であって、用具本体は可燃性の材質からなり、用具本体の上面には用具本体からその全部又は一部を切り離す切取線を有してペット用保水シートを表出させることの可能な蓋部と、本体の一側面にはペット用保水シートの出し入れが可能な引出部と、を備えたことを特徴とするものである。
第２の考案は、用具本体は焼却処分しても有害物質を発生させない材料からなることを特徴とする同使い捨てペット用具である。
第３の考案は、ペット用保水シートの表面部材が光触媒作用を有することを特徴とする同使い捨てペット用具である。
第４の考案は、本体からその一部を切り離した蓋部を飛散防止立て（フード）として使用することを特徴とする同使い捨てペット用具である。
第５の考案は、本体からその全部を切り離した蓋部よりスコップ部材を切り抜き可能としたことを特徴とする同使い捨てペット用具である。
第６の考案は、用具本体に取り付けられた手持ち用の取手部材を引出部に取付自在としたことを特徴とする同使い捨てペット用具である。
第７の考案は、用具本体に取り付けられた手持ち用の取手部材がペット用玩具としても利用できる物であることを特徴とする同使い捨てペット用具である。
第８の考案は、ペット用トイレとして利用されることを特徴とする同使い捨てペット用具である。
第９の考案は、ペット用の食器をセットしてペット用食事場所として利用されることを特徴とする同使い捨てペット用具である。
第１０の考案は、ペット用檻（ゲージ）の底部に組合せて利用されることを特徴とする同使い捨てペット用具である。
【考案の効果】
【０００７】
本考案によれば、以下のような効果を有する。
（１）使い捨てタイプなので、容器の匂いや汚れの心配がない。また、置き場所にも困らない。
（２）ペット用保水シートを約１カ月収納しているので、使い捨てタイプでありながら、無駄がない。また、ペット用保水シートを開いてトイレにセットする手間を省くことができる。さらには、ペット用保水シートの保管場所が必要なくなる（場所を取らない）。
（３）用具本体は可燃性の材質からなるので、燃えるゴミとして焼却処分できる。また、用具本体は焼却処分しても有害物質を発生させない材料からなることで、環境に優しい。
（４）ペット用保水シートの表面部材が光触媒作用を有することで、消臭・抗菌効果等を有する。
（５）蓋部を飛散防止立て（フード）として使用することで、ペットの尿や糞の飛散を防止できる。
（６）蓋部からスコップ部材を切り抜き可能としたことで、蓋部を有効に利用できる。
（７）用具本体に取り付けられた手持ち用の取手部材を引出部に取付自在としたことで、取手部材を有効に利用できる。
（８）用具本体に取り付けられた手持ち用の取手部材がペット用玩具にもなることで、取手部材を有効に利用できる。
（９）本考案の使い捨てペット用具は、ペット用のトイレ，ペット用の食事場所，ペット用檻のパーツなど様々な用途に使用することができる。
【考案を実施するための最良の形態】
【０００８】
本考案の実施形態を図面に基づいて説明する。
図１は、本考案に係る使い捨てペット用具の第１実施形態（その１）を示す説明図である。
図１（Ａ）は、購入時の使い捨てペット用具を示したものである。使い捨てペット用具１０は、やや薄型の直方体をしており、取手１１を備える。取手１１を持つことで簡単に持ち運びができる。例えば、ドラッグストアやペットショップで購入したときも、かさばらずに容易に持ち帰ることができる。使い捨てペット用具１０の本体２０の材質は、可燃性の材質からなるものであって、燃えるゴミとして焼却処分できる。好ましくは、焼却処分しても有害物質を発生させない材料にすることで、環境に優しいものとなる。なお、図示省略したが、本体２０の表面全面又は一部に、デザイン画などを施してもよい。
【０００９】
図１（Ｂ）は、使用前の使い捨てペット用具を示したものである。使用に際しては、切取線２２を有した蓋部２１を上にして使用する。また、購入後の持ち運びに使用した取手１１を取り外し、引出部となる本体２０の側面２６にこの取手１１を取り付ける。取手１１を取り付けることで、引出部の開け閉めが容易に行えるようになるし、取手１１の有効利用にもなる。なお、図示省略するが、この取手１１をペット用玩具にもなるような形状及び／又は材質とすることで、使い捨てペット用具１０の廃棄処分後であっても取手部材を有効に利用できる。
【００１０】
図１（Ｃ）は、使用時の使い捨てペット用具を示したものである。切取線２２に沿って蓋部２１を切り離すと、使い捨てペット用具に収納されたペット用保水シート３０が表出する。ペット用保水シート３０は約１カ月分（４５枚程度）重ねて収納されており、１日１，２枚使用できるようになっている。なお、使い捨てペット用具１０の使用期間（例：１カ月）や収納する枚数（例：４５枚）はこれに限られるものではなく、任意に設定できる。蓋部２１を切り離したときに、本体２０の上面２３に縁部２４を残しているが、これは本体２０の強度を保持するためと、収納されたペット用保水シート３０がめくれないようにするためである。また、蓋部２１は本体２０から完全に切り離して取り外すようにしても良いし、図示のように本体２０から一部だけ切り離して取り外さないようにしても良い。図示のようにした場合（一部切り離し）は、この蓋部２１を立てておくことで飛散防止立て（フード）の役割を果たし、例えば、使い捨てペット用具１０をペット用トイレとして利用した場合、ペットの尿や糞の飛散を防止できて壁や床などを汚さないようにできる。なお、ペット用保水シート３０を二折り状態に収納して、使用時に二折りになっているペット用保水シート３０を開いて、蓋部２１にも引っ掛けるようにすると蓋部２１の汚れを防ぐことができる。また、本体２０から切り離した蓋部２１については、例えば、糞などを処理する時に使用するスコップ部材等を切り抜き可能とすることで、蓋部２１を有効に利用できる。
【００１１】
図２は、使い捨てペット用具の第１実施形態（その２）を示す説明図である。
図２（Ａ）に示すように、使い捨てペット用具１０は、引出部２５を備え、本体２０の側面２６から抜き差し可能となっており、この引出部２５がペット用保水シート３０の収納スペースとなっている。
図２（Ｂ）に示すように、使用済みのペット用保水シート３０を取り替える場合には、この引出部２５を引き出して、使用済みのペット用保水シート３０を取り外せば次の未使用のペット用保水シート３０が表れて、引出部２５を閉じることで取替作業を完了できる。
【００１２】
図３は、使い捨てペット用具の第２実施形態を示す説明図である。
図示する第２実施形態は、使い捨てペット用具１０をペット用檻（ゲージ）４０の底部として利用したものである。使い捨てペット用具１０をこのように利用することで、ペット用檻（ゲージ）４０の掃除が極めて楽になる。従って、仔犬時の飼育やペットショップなどでの利用価値がある。なお、使い捨てペット用具１０の組合せは、このペット用檻（ゲージ）４０に限らず、その他の用具・装置等との組合せも可能である。
【００１３】
図４は、使い捨てペット用具の第３実施形態を示す説明図である。
図示する第３実施形態は、使い捨てペット用具１０をペット用食事場所５０として利用したものである。ペット用の食べ物や飲み物を入れた食器５１を用意し、これを使い捨てペット用具１０のペット用保水シート３０の上に置くことで、食べ物や飲み物がこぼれたりしても、ペット用保水シート３０を取り替えるだけで済み、後片づけが容易となる。
【００１４】
図５は、ペット用保水シートに関する説明図である。
ペット用保水シート３０は市販のものであってもよいが、それ以外にも、シートの表面部材が光触媒作用を有するオリジナルなものであってもよい。使い捨てペット用具１０は使い捨てであっても、ある程度の期間は室内で使用されるものであるため、光触媒作用による消臭・抗菌効果があれば、室内環境が良好に維持されるからである。なお、光触媒作用はペット用保水シート３０だけでなく、使い捨てペット用具１０の本体２０に備わっていてもよい。
【産業上の利用可能性】
【００１５】
本考案は、ペット用具として幅広く利用できるものである（用具・装置等のパーツとしての利用も含む）。
例えば、以下の通りであるが、これに限られるものではない。
（１）ペット用トイレ
（２）ペット用食事場所
（３）ペット用檻（ゲージ）のパーツ
（４）老犬の介護用ベット（シーツ）
【図面の簡単な説明】
【００１６】
【図１】使い捨てペット用具の第１実施形態（その１）を示す説明図。
【図２】使い捨てペット用具の第１実施形態（その２）を示す説明図。
【図３】使い捨てペット用具の第２実施形態を示す説明図。
【図４】使い捨てペット用具の第３実施形態を示す説明図。
【図５】ペット用保水シートに関する説明図。
【符号の説明】
【００１７】
１０  使い捨てペット用具
１１  取手
２０  本体
２１  蓋部
２２  切取線
２３  上面
２４  縁部
２５  引出部
２６  側面
３０  ペット用保水シート
４０  ペット用檻（ゲージ）
５０  ペット用食事場所
５１  食器
【図１】
0003139183.tif 000003
【図２】
0003139183.tif 000004
【図３】
0003139183.tif 000005
【図４】
0003139183.tif 000006
【図５】
0003139183.tif 000007